(57)【特許請求の範囲】
【請求項１】
底部と底部の高さの低い土手部にヒンジ連結された相対する側壁と底部の高さの高い土手部にヒンジ連結された相対する側壁とを有し、箱型に組み立てられた状態から、先ず最初に、底部の高さの低い土手部にヒンジ連結された相対する側壁を、底部に重なるように倒し、次いで、底部の高さの高い土手部にヒンジ連結された相対する側壁を、先に倒された前記底部の高さの低い土手部にヒンジ連結された相対する側壁の上に重ねることにより、折り畳むことが可能な折り畳みコンテナーにおいて、前記底部の高さの低い土手部の中央領域には、底部の角部に形成された支持ブロックのほぼ上面まで延在する、識別部材を取着するための板状部材が形成されているとともに、折り畳みコンテナーが箱型に組み立てられた際に、前記識別部材を取着するための板状部材が、前記底部の高さの低い土手部にヒンジ連結された側壁の外壁面に形成されている下部フランジに干渉しないように、前記識別部材を取着するための板状部材と相対するように配置される前記下部フランジの前記底部の高さの低い土手部にヒンジ連結された側壁の外壁面からの高さが、前記底部の高さの低い土手部にヒンジ連結された側壁の外壁面に形成されている横リブや縦リブより、低く形成されていることを特徴とする折り畳みコンテナー。
【請求項２】
折り畳まれた状態においては、底部の高さの低い土手部の中央領域に形成された板状部材が、底部の高さの高い土手部にヒンジ連結された相対する側壁間に形成される間隙に挿入されるように構成されていることを特徴とする請求項１に記載の折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来、平面形状が、ほぼ長方形の底部の相対する長辺部に形成された土手部に、ヒンジ部を介して、長側壁を連結し、また、底部の相対する短辺部に形成された土手部に、同じくヒンジ部を介して、短側壁を連結した折り畳みコンテナーが知られている。そして、箱型に組み立てられた折り畳みコンテナーを折り畳むには、先ず最初に、相対する長側壁を、底部に重なるように倒し、次いで、相対する短側壁を、底部に重ねられた長側壁の上に、重なるように倒すことにより、折り畳むことができるように構成されている。
【０００３】
そして、箱型に組み立てられた状態から、折り畳みコンテナーを折り畳む際に、後から倒される短側壁がヒンジ連結されている、底部の相対する短辺部に形成されている土手部は、最初に倒される長側壁がヒンジ連結されている、底部の相対する長辺部に形成されている土手部より、その高さが高く形成されている。
【０００４】
【発明が解決しようとする課題】
近年、折り畳まれた状態の折り畳みコンテナーの高さをより低くして、折り畳まれた折り畳みコンテナーの回収効率を向上するために、底部の高さがより低く形成されている。折り畳まれた状態の折り畳みコンテナーの高さを、より低くすることにより、折り畳まれた状態の折り畳みコンテナーの高さが高い場合に比べて、折り畳まれた折り畳みコンテナーを、多数、段積みすることができ、従って、トラック等の運送手段により、より多数の折り畳まれた折り畳みコンテナーを回収することができるとともに、倉庫等における収容効率も向上することになる。
【０００５】
しかしながら、底部の高さがより低くなると、会社名や収納物品の種類や行き先等の種々の情報が記載或いは記憶されているシールやラベルやバーコードやメモリー等の識別部材を取着するための底部の外側面のスペースが小さくなるという問題があった。
【０００６】
特に、上述したように、最初に倒される長側壁がヒンジ連結されている底部の長辺部側の土手部は、短辺部側の土手部に比べて、その高さがより低いので、底部の長辺部側の土手部に設けられた識別部材を取着するためのスペースが非常に狭く、従って、識別部材の取着作業が困難であったり、或いは、底部の長辺部側の土手部には、識別部材の取着スペースを設けることができないという問題があった。識別部材が、底部の長辺部側の土手部に取着されていないと、作業者は、折り畳みコンテナーを回転させたり、或いは、作業者が移動して、底部の短辺部側の土手部に取着されてる識別部材を確認しなければならないことになる。
【０００７】
本発明の目的は、上述した従来の折り畳みコンテナーが有する課題を解決することにある。
【０００８】
【課題を解決するための手段】
本発明は、上述した目的を達成するために、底部と底部の高さの低い土手部にヒンジ連結された相対する側壁と底部の高さの高い土手部にヒンジ連結された相対する側壁とを有し、箱型に組み立てられた状態から、先ず最初に、底部の高さの低い土手部にヒンジ連結された相対する側壁を、底部に重なるように倒し、次いで、底部の高さの高い土手部にヒンジ連結された相対する側壁を、先に倒された前記底部の高さの低い土手部にヒンジ連結された相対する側壁の上に重ねることにより、折り畳むことが可能な折り畳みコンテナーにおいて、第１には、前記底部の高さの低い土手部の中央領域に、底部の角部に形成された支持ブロックのほぼ上面まで延在する、識別部材を取着するための板状部材を形成するとともに、折り畳みコンテナーが箱型に組み立てられた際に、前記識別部材を取着するための板状部材が、前記底部の高さの低い土手部にヒンジ連結された側壁の外壁面に形成されている下部フランジに干渉しないように、前記識別部材を取着するための板状部材と相対するように配置される前記下部フランジの前記底部の高さの低い土手部にヒンジ連結された側壁の外壁面からの高さを、前記底部の高さの低い土手部にヒンジ連結された側壁の外壁面に形成されている横リブや縦リブより、低く形成したものであり、第２には、折り畳まれた状態において、底部の高さの低い土手部の中央領域に形成された板状部材が、底部の高さの高い土手部にヒンジ連結された相対する側壁間に形成される間隙に挿入されるように構成したものである。
【０００９】
【実施例】
以下に、本発明の実施例について説明するが、本発明の趣旨を越えない限り何ら、本実施例に限定されるものではない。
【００１０】
１は、平面形状が、ほぼ長方形状の底部であり、底部１の相対する長辺部に形成された土手部（以下、長辺側土手部という。）１ａには、公知の適当なヒンジ部材を介して、長側壁２がヒンジ連結されている。また、底部１の相対する短辺部に形成された土手部（以下、短辺側土手部という。）１ｂには、同様に公知の適当なヒンジ部材を介して、短側壁３がヒンジ連結されている。そして、長側壁２がヒンジ連結されている短辺側土手部１ａの高さは、短側壁３がヒンジ連結されている短辺側土手部１ｂの高さより低く構成されている。
【００１１】
図１に示されているように、箱型に組み立てられた状態から、先ず最初に、図２に示されているように、底部１の相対する長辺側土手部１ａにヒンジ連結された長側壁２を、底部１に重なるように倒す。次いで、底部１の相対する短辺側土手部１ｂにヒンジ連結された短側壁３を、底部１方向に倒して、底部１に重ねられている長側壁２の上に重ねることにより、図３に示されているように、折り畳むことができるように構成されている。
【００１２】
底部１の大きさが同じ場合には、長側壁２及び短側壁３の高さを高くすることにより、箱型に組み立てられた折り畳みコンテナーの内容積を、より大きくすることができるが、折り畳まれた状態の高さを、低く抑えるためには、底部１に重ねられた長側壁２同士が重ならないようにすることが必要である。本実施例では、図２に示されているように、箱型に組み立てられた折り畳みコンテナーの内容積を、より大きくするとともに、折り畳まれた状態の高さを、低く抑えるために、底部１に重ねられた状態の一対の長側壁２の上部フランジ２ａ同士が、実質的に当接或いは近接するように構成されている。また、折り畳まれた状態の高さを、低く抑えるために、長側壁２及び短側壁３の厚さは、可能な限り薄く形成されているとともに、底部１に重ねられた状態の長側壁２が、底部１の長辺側土手部１ａの高さを越えないように構成されている。また、底部１に重ねられた長側壁２の上に重ねられる短側壁３の上部フランジ３ａの間には、所定の間隙Ｄ１が形成されている。
【００１３】
１ｃは、底部１の４つの角部に形成された、平面形状が、ほぼＬ状の支持ブロックであり、支持ブロック１ｃの内側には、段部１ｃ１が形成されている。また、底部１の裏面には、底部１の長辺側土手部１ａの下端１ａ１及び短辺側土手部１ｂの下端１ｂ１を越えて、下方に延在する嵌合部１ｄが形成されている。本実施例においては、嵌合部１ｄは、額縁状の周壁１ｄ１と、額縁状の周壁１ｄ１内に形成され縦横に走る交差リブ１ｄ２とにより構成されている。また、本実施例においては、嵌合部１ｄの中央部には、短辺側土手部１ｂに沿った溝部１ｅが形成されており、溝部１ｅにより、嵌合部１ｄが、２つの副嵌合部１ｄ’、１ｄ’に分割されている。本発明の折り畳みコンテナーの底部１のほぼ半分の大きさの底部を有する折り畳みコンテナーを、２個、並設し、その上に、本発明の折り畳みコンテナーを載置した際には、上に位置する本発明の折り畳みコンテナーの底部１に形成されている２つの副嵌合部１ｄ’、１ｄ’が、下に位置する折り畳みコンテナーの開口部に挿入されるとともに、下に位置する並設された折り畳みコンテナーの当接する側壁に形成された上部フランジが、上記の溝部１ｅに挿入されるように構成されている。
【００１４】
折り畳まれた状態の折り畳みコンテナーを段積みした際には、上に位置する折り畳みコンテナーの底部１に形成された嵌合部１ｄが、下に位置する折り畳みコンテナーの底部１の角部に形成された支持ブロック１ｃの段部１ｃ１に載置或いは段部１ｃ１に近接して配置され、上に位置する折り畳みコンテナーの底部１の長辺側土手部１ａの下端１ａ１及び短辺側土手部１ｂの下端１ｂ１が、支持ブロック１ｃの上面１ｃ２に載置されるように構成されている。
【００１５】
底部１の短辺側土手部１ｂの高さは、長辺側土手部１ａに比べて高く形成されているので、短辺側土手部１ｂの外側壁には、シールやラベルやバーコードやメモリー等の識別部材が取着できるスペースＳ１が形成可能である。本実施例においては、識別部材の取着スペースＳ１は、短辺側土手部１ｂの外側壁を凹ますことにより形成された凹部ｓ１として構成されている。識別部材の取着スペースＳ１を凹部ｓ１に形成し、取着スペースＳ１の平坦な奥部ｓ１’に、識別部材を貼着等して取着することにより、折り畳みコンテナー同士が接触したり、或いは、折り畳みコンテナーが他の物体に接触した際に、識別部材が損傷するようなことがないように構成されている。
【００１６】
底部１の長辺側土手部１ａの中央領域には、上述した底部１の４つの角部に形成された支持ブロック１ｃのほぼ上面１ｃ２まで延在する、支持ブロック１ｃの上面１ｃ２とほぼ同じ高さを有する板状部材４が配設されており、この板状部材４に、識別部材を取着できるように構成されている。従って、高さが低く、従来、識別部材が取着困難であった、長辺側土手部１ａにも、識別部材を取着することができる。
【００１７】
また、板状部材４は、折り畳まれた状態の折り畳みコンテナーの短側壁３の上部フランジ３ａの間に形成される間隙Ｄ１に挿入されるような横幅を有している。このように構成することにより、板状部材４と後から倒される短側壁３との干渉を防止することができる。更に、識別部材の取着スペースは、広いことが好ましいので、板状部材４の最大横幅は、上記の間隙Ｄ１と実質的に同じ横幅に形成することが好ましい。更にまた、板状部材４には、上述した短辺側土手部１ｂの外側壁に形成されている取着スペースＳ１と同様に、識別部材が取着される取着スペースＳ２としての凹部ｓ２が形成されていることが好ましい。
【００１８】
板状部材４は、折り畳まれた状態の折り畳みコンテナーの短側壁３の上部フランジ３ａの間に形成される間隙Ｄ１に挿入されるように構成されているので、短側壁３の折り畳み作業の際に、短側壁３が、板状部材４に当接するようなことはない。
【００１９】
上述したように、底部１の高さの低い長側壁土手部１ａの中央領域に、底部１の４つの角部に形成された支持ブロック１ｃの上面１ｃ２まで延在するとともに、ほぼ水平に倒された一対の短側壁３間に形成される間隙Ｄ１に挿入可能な板状部材４を配設したので、従来、識別部材が取着困難であった高さの低い長辺側土手部１ａにも、識別部材を取着することができる。
【００２０】
また、底部１の高さの低い長辺側土手部１ａの中央領域に、板状部材４を配設したので、短辺側土手部１ｂに比べて高さが低く、且つ、短辺側土手部１ｂより長いために、強度や剛性が落ちる、長側壁土手部１ａの強度や剛性を増加することができる。
【００２１】
更に、本実施例のように、底部１の裏面に配設された嵌合部１ｄの中央部に、短辺側土手部１ｂに沿った溝部１ｅが形成されている場合には、短辺側土手部１ｂに比べて高さが低く、且つ、短辺側土手部１ｂより長いた長辺側土手部１ａの強度や剛性が落ちることになるが、長辺側土手部１ａの中央領域に、板状部材４を配設したので、溝部１ｅを配設したことによる底部１の強度や剛性の低下を抑制することができる。
【００２２】
なお、折り畳みコンテナーを箱型に組みたてた際に、長辺側土手部１ａの中央領域に形成された板状部材４が、略垂直に立てられた長側壁２と干渉する場合には、長側壁２の板状部材４と干渉する部分には、板状部材４が、挿入可能な切り欠き凹部等の逃げを設ける。本実施例においては、折り畳みコンテナーを箱型に組みたてた際には、長側壁土手部１ａの中央領域に形成された板状部材４が、略垂直に立てられた長側壁２の下部フランジ２ｂに干渉するので、下部フランジ２ｂは、長側壁２の外壁面に形成されている横リブ２ｃや縦リブ２ｄより、その高さ（長側壁２の外壁面からの高さ）が、低く形成されている。
【００２３】
なお、上述した折り畳みコンテナーを構成する底部１、長側壁２及び短側壁３は、それぞれ、射出成形等により、合成樹脂で一体に成形されている。
【００２４】
【発明の効果】
本発明は、以上説明した構成を有しているので、以下に記載する効果を奏するものである。
【００２５】
底部の高さの低い土手部の中央領域に、識別部材を取着するための板状部材を形成したので、底部を形成する高さの高い土手部と高さの低い土手部の両方に、識別部材を取着することができる。
【００２６】
識別部材を取着するための板状部材を、底部の角部に形成された支持ブロックとほぼ同じ高さに形成したので、板状部材の識別部材を取着するスペースを大きくすることができる。
【００２７】
識別部材を取着するための板状部材が、折り畳まれた状態の折り畳みコンテナーの後から倒される側壁間に形成される間隙に挿入されるように構成したので、板状部材と後から倒される側壁との干渉を防止することができる。
【図面の簡単な説明】
【図１】図１は本発明の折り畳みコンテナーが箱型に組み立てられた状態の斜視図である。
【図２】図２は本発明の折り畳みコンテナーの折り畳み途中の斜視図である。
【図３】図３は本発明の折り畳みコンテナーが折り畳まれた状態の斜視図である。
【図４】図４は本発明の折り畳みコンテナーを構成する底部の裏面方向から見た斜視図である。
【符号の説明】
１・・・・・・・・・・・・・・・底部
１ａ・・・・・・・・・・・・・・長辺側土手部
１ｂ・・・・・・・・・・・・・・短辺側土手部
２・・・・・・・・・・・・・・・長側壁
３・・・・・・・・・・・・・・・短側壁
４・・・・・・・・・・・・・・・板状部材
Ｓ１、Ｓ２・・・・・・・・・・・取着スペース
【図１】
0003984829.tif 000002
【図２】
0003984829.tif 000003
【図３】
0003984829.tif 000004
【図４】
0003984829.tif 000005